(57)【要約】      （修正有）【課題】線材などの対象の端部を保持し、抜く方向への張力により一層強く前記対象を挟持する、易操作性のクリップを提供する。【解決手段】クリップは、内枠２と、内枠の外側に前後にスライド可能に嵌まるカバー３と、内枠先端にスライド可能に設けられた左挟持片４ａ及び右挟持片４ｂからなり対象を挟む挟持体４と、内枠とカバーとに渡され、カバーを内枠先端側に引き付けるバネ１０と、からなり、対象を引き出す方向に張力が働くことで挟持体による対象の挟持が強まることを特徴とする。【選択図】図２
0003230313.tif 000002
【実用新案登録請求の範囲】
【請求項１】
内枠と、
前記内枠の外側に前後にスライド可能に嵌まるカバーと、
前記内枠先端にスライド可能に設けられた左挟持片及び右挟持片からなり対象を挟む挟持体と、
前記内枠と前記カバーとに渡され、前記カバーを前記内枠先端側に引き付けるバネと、
からなり、
前記対象を引き出す方向に張力が働くことで前記挟持体による前記対象の挟持が強まることを特徴とする、クリップ。
【請求項２】
前記内枠が、上板材の先に先端側が狭いハの字型の２つの長孔である左上ガイド及び右上ガイドと下板材の先に先端側が狭いハの字型の２つの長孔である左下ガイド及び右下ガイドを備え、
前記カバーが、上カバー部と、前記上カバー部の左右に垂下する左カバー部及び右カバー部と前記左カバー部及び前記右カバー部に連設し前記上カバー部と並行な面の左下カバー部及び右下カバー部とからなり、前記上カバー部の先端に前記カバーのスライド方向に対して直交する左右方向に穿設された左上溝及び右上溝と前記左下カバー部及び前記右下カバー部の先端に前記カバーのスライド方向に対して直交する左右方向に穿設された左下溝及び右下溝を備え、
前記左挟持片が、断面コの字型で、上下前後に穴が穿設され、
前上下の穴に左前留具が挿通するとともに、前記左前留具は前記内枠の前記左上ガイド及び前記左下ガイドにも挿通し、
後上下の穴に左後留具が挿通するとともに、前記左後留具は前記内枠の前記左上ガイド及び前記左下ガイドに挿通した上で、さらに前記上カバー部の前記左上溝及び前記左下カバー部の前記左下溝に挿通して係止されることで、前記左挟持片が前記内枠内に係止され、
前記右挟持片が、断面コの字型で、上下前後に穴が穿設され、
前上下の穴に右前留具が挿通するとともに、前記右前留具は前記内枠の前記右上ガイド及び前記右下ガイドにも挿通し、
後上下の穴に右後留具が挿通するとともに、前記右後留具は前記内枠の前記右上ガイド及び前記右下ガイドに挿通した上で、さらに前記上カバー部の前記右上溝及び前記下右カバー部の前記右下溝に挿通して係止されることで、前記右挟持片が前記内枠内に係止されてなり、
前記カバーが反先端方向にスライドすると、前記挟持部が開口することを特徴とする請求項１に記載のクリップ。
【請求項３】
請求項１又は請求項２に記載のクリップと、
前記クリップを装着し同一円上で回転する複数の軸を備えた回転装置と、
からなり、複数の線材を前記軸の前記同一円上の回転により撚って撚線にすることを特徴とする撚り機。 
【考案の詳細な説明】
【技術分野】
【０００１】
本考案は、線、棒材など（以下、単に「線材」という）の対象の端部を保持し、抜く方向への張力により一層強く前記対象を挟持する、易操作性のクリップに関する考案である。
【背景技術】
【０００２】
クリップとしては、図１に示すように、複数の軸２１と、軸２１を同一円上で回転させる回転装置２０ａと、クリップ２２とで、複数の線材３０ａを撚って撚線３０にする撚り機２０に用いられるクリップ２２が知られている（非特許文献１、２）。
【０００３】
クリップ２２は、非特許文献１、２、図１に見えるように、同一円上で回転する複数の軸２１（ここでは、３本）に取り付けて線材３０ａの端部を挟持する。
【０００４】
しかしながら、図１（Ｃ）に見られるように、クリップ２２は、線材３０ａを先端３０ｂの穴から挿入した後、横側面方向の開口２２ａに線材３０ａの向きをかえて挟持させるため、とても作業が煩雑であった。
【先行技術文献】
【非特許文献】
【０００５】
【非特許文献１】http://www.mk-ele.co.jp/en/products/MS2000_MS4000.html
【非特許文献２】https://www.youtube.com/watch?v=Iw_ql-4xnns&ab_channel=MKELECTRONICSSALES
【考案の概要】
【考案が解決しようとする課題】
【０００６】
そこで、本考案は、線材などの対象の端部を保持し、抜く方向への張力により一層強く前記対象を挟持する、易操作性のクリップを提供することを目的とする。
【課題を解決するための手段】
【０００７】
本考案は、上記の課題を解決するために、
（１）
内枠と、
前記内枠の外側に前後にスライド可能に嵌まるカバーと、
前記内枠先端にスライド可能に設けられた左挟持片及び右挟持片からなり対象を挟む挟持体と、
前記内枠と前記カバーとに渡され、前記カバーを前記内枠先端側に引き付けるバネと、
からなり、
前記対象を引き出す方向に張力が働くことで前記挟持体による前記対象の挟持が強まることを特徴とする、クリップ。
（２）
前記内枠が、上板材の先に先端側が狭いハの字型の２つの長孔である左上ガイド及び右上ガイドと下板材の先に先端側が狭いハの字型の２つの長孔である左下ガイド及び右下ガイドを備え、
前記カバーが、上カバー部と、前記上カバー部の左右に垂下する左カバー部及び右カバー部と前記左カバー部及び前記右カバー部に連設し前記上カバー部と並行な面の左下カバー部及び右下カバー部とからなり、前記上カバー部の先端に前記カバーのスライド方向に対して直交する左右方向に穿設された左上溝及び右上溝と前記左下カバー部及び前記右下カバー部の先端に前記カバーのスライド方向に対して直交する左右方向に穿設された左下溝及び右下溝を備え、
前記左挟持片が、断面コの字型で、上下前後に穴が穿設され、
前上下の穴に左前留具が挿通するとともに、前記左前留具は前記内枠の前記左上ガイド及び前記左下ガイドにも挿通し、
後上下の穴に左後留具が挿通するとともに、前記左後留具は前記内枠の前記左上ガイド及び前記左下ガイドに挿通した上で、さらに前記上カバー部の前記左上溝及び前記左下カバー部の前記左下溝に挿通して係止されることで、前記左挟持片が前記内枠内に係止され、
前記右挟持片が、断面コの字型で、上下前後に穴が穿設され、
前上下の穴に右前留具が挿通するとともに、前記右前留具は前記内枠の前記右上ガイド及び前記右下ガイドにも挿通し、
後上下の穴に右後留具が挿通するとともに、前記右後留具は前記内枠の前記右上ガイド及び前記右下ガイドに挿通した上で、さらに前記上カバー部の前記右上溝及び前記下右カバー部の前記右下溝に挿通して係止されることで、前記右挟持片が前記内枠内に係止されてなり、
前記カバーが反先端方向にスライドすると、前記挟持部が開口することを特徴とする（１）に記載のクリップ。
（３）
（１）又は（２）に記載のクリップと、
前記クリップを装着し同一円上で回転する複数の軸を備えた回転装置と、
からなり、複数の線材を前記軸の前記同一円上の回転により撚って撚線にすることを特徴とする撚り機。
とした。
【考案の効果】
【０００８】
本考案は、上記構成であるので、線材などの対象の端部を保持し、抜く方向への張力により一層強く前記対象を挟持する、易操作性のクリップを提供することができる。
【図面の簡単な説明】
【０００９】
【図１】図１は、撚り機、撚線の説明図である。
【図２】本考案のクリップの（Ａ）撚線を挟持したときの挟持体の位置、（Ｂ）撚線開放時の挟持体の位置での左側面斜視写真である。
【図３】本考案のクリップの（Ａ）撚線を挟持したときの挟持体の位置、（Ｂ）撚線開放時の挟持体の位置での平面写真（４５°左回転）である。
【図４】本考案のクリップの（Ａ）撚線を挟持したときの挟持体の位置、（Ｂ）撚線開放時の挟持体の位置での正面写真である。
【図５】本考案のクリップの（Ａ）撚線を挟持したときの挟持体の位置、（Ｂ）撚線開放時の挟持体の位置での底面写真（４５°左回転）である。
【図６】本考案のクリップを撚り機に（Ａ）装着した状態、（Ｂ）線材を挟持する場面、（Ｃ）使用状態説の写真である。
【考案を実施するための形態】
【００１０】
以下、添付の図面を参照し、本考案の実施の形態の一例について詳細に説明する。なお、本考案は下記実施例に限定されるものではない。
【実施例１】
【００１１】
図２〜６に示すように、本考案のクリップ１は、内枠２と、カバー３と、挟持体４と、内枠２とカバー３及び挟持体４をそれぞれ連設する留具（左前留具６、左後留具６ａ、右前留具６ｂ、右後留具６ｃ）と、バネ１０とからなり、同一円上を回転する複数の軸２１に取り付けられ、さらに軸２１と、軸２１を回転させる回転装置２０ａとともに、複数の線材３０ａを撚って撚線３０にする撚り機２０を構成する。軸２１、回転装置２０ａは、上記機能があれば、そのものに限定されない。
【００１２】
本考案のクリップは、もちろん撚線用の撚り機に限らず、線材全般の挟持に用いられるが、挟持する対象を引きだす方向への張力により一層強く対象を挟持する効果、易操作性が求められる場合に特に有効である。
【００１３】
内枠２は、一例として、ここでは、上板材２ａの先に先端側が狭いハの字型の２つの長孔である左上ガイド２ｂ及び右上ガイド２ｃと、上板材２ａと並行に連設する下板材２ｄの先に先端側が狭いハの字型の２つの長孔である左下ガイド２ｅ及び右下ガイド２ｆを備える。内枠２の先端部には、バネ１０を係止する前係止部２ｇが立設する。
【００１４】
なお、内枠２の左右側面には、カバー３のバネ１０により引き付けられたときの止め位置の位置決めとして段差、すなわちストッパ２ｋがある。
【００１５】
また、内枠２の内部には、軸２１に固定するための機構として、下板材２ｄの内部に立設する、軸２１を通す貫通孔２ｍを有する前後の枠２ｈと、下板材２ｄには、軸２１を押圧する止めネジ２ｉを備えている。
【００１６】
カバー３は、内枠２の外側に前後にスライド可能に嵌まるものであって、一例として、ここでは、上カバー部３ａと、上カバー部３ａの左右に垂下する左カバー部３ｄ及び右カバー部３ｅと、左カバー部３ｄ及び右カバー部３ｅに連設し上カバー部３ａと並行な面の左下カバー部３ｆ及び右下カバー部３ｈからなる。さらに、上カバー部３ａの先端にカバー３のスライド方向に対して直交する左右方向に穿設された左上溝３ｂ及び右上溝３ｃと左下カバー部３ｆ及び右下カバー部３ｈの先端にカバー３のスライド方向に対して直交する左右方向に穿設された左下溝３ｇ及び右下溝３ｉを備える。カバー３の後方部には、バネ１０を係止する後係止部３ｋが立設する。
【００１７】
挟持体４は、内枠２先端にスライド可能に設けられた左挟持片４ａ及び右挟持片４ｂからなるものであって、カバー３が反先端方向にスライドすると挟持体４が開口する。すなわち、カバー３のスライドにより左挟持片４ａ及び右挟持片４ｂが近接、隔離し、対象の挟持、解除を可能にする。なお、挟持体４には、対象を挟持したときの滑り止めとして、左挟持片４ａ及び右挟持片４ｂより摩擦抵抗が高いゴムなどの摩擦体５を、挟持面に備えるとよい。
【００１８】
左挟持片４ａは、一例として、ここでは、断面コの字型で、上下前後に穴が穿設され、前上下の穴に左前留具６が挿通する。左前留具６は、内枠２の左上ガイド２ｂ及び左下ガイド２ｅにも挿通する。また、後上下の穴に左後留具６ａが挿通するとともに、左後留具６ａは内枠２の左上ガイド２ｂ及び左下ガイド２ｅに挿通した上で、さらに上カバー部３ａの左上溝３ｂ及び左下カバー部３ｆの左下溝３ｇに挿通して係止される。それにより、左挟持片４ａが内枠２内に係止される。
【００１９】
右挟持片４ｂは、一例として、ここでは、断面コの字型で、上下前後に穴が穿設され、前上下の穴に右前留具６ｂが挿通する。右前留具６ｂは、内枠２の右上ガイド２ｃ及び右下ガイド２ｆにも挿通する。また、後上下の穴に右後留具６ｃが挿通するとともに、右後留具６ｃは内枠２の右上ガイド２ｃ及び右下ガイド２ｆに挿通した上で、さらに上カバー部３ａの右上溝３ｃ及び右下カバー部３ｈの右下溝３ｉに挿通して係止される。それにより、右挟持片４ｂが内枠２内に係止される。
【００２０】
なお、各留具（左前留具６、左後留具６ａ、右前留具６ｂ、右後留具６ｃ）は、軸の長さは前後で異なるものの、その他構造は同じで、軸７と軸を係止するＣリング８、Ｃリング８の下に配置され、Ｃリング８の脱落を防止する平座金９とからなる。
【００２１】
バネ１０は、内枠２とカバー３とに渡され、カバー３を内枠２先端側に引き付ける。内枠２とカバー３との連結は、一例として、ここでは、図２などに見えるように、具体的には、内枠２の先端部に立設する前係止部２ｇとカバー３の後方部に立設する後係止部３ｋとの係止が例示できる。
【００２２】
このようにしてなるクリップ１は、図６に示すように、回転装置２０ａ、軸２１とで、撚り機２０を構成する。図６（Ｂ）は（Ａ）と異なる回転装置２０ｃ（軸２１が４本）の撚り機２０ｂである。
【００２３】
図６（Ｂ）に示すように、クリップ１の背面側から軸２１を前後の枠２ｈの貫通孔２ｍに位置させ、止めネジ２ｉを締め付けることで、止めネジ２ｉが軸２１を押圧し、軸２１にクリップ１が固定される。
【００２４】
クリップ１が軸２１に取り付けられた状態で、カバー３を摘まみ回転装置２０ｃ側に押し込むと、挟持体４が開口（線材などの対象によっては、対象を押しつけるだけで挟持体４を開口）し、開口部に線材３０ａなどの挟持対象を位置させたうえで、カバーを離すと、バネ１０のバネ付勢でカバー３が元の位置に戻ろうとすることで、挟持体４が閉じ、対象（線材３０ａ）を挟持する。
【００２５】
線材３０ａが引かれると、挟持体４は一層挟持力が高まる。簡易な操作で、挟持対象の挟持、解除ができる。
【符号の説明】
【００２６】
１      クリップ
２      内枠
２ａ    上板材
２ｂ    左上ガイド
２ｃ    右上ガイド
２ｄ    下板材
２ｅ    左下ガイド
２ｆ    右下ガイド
２ｇ    前係止部
２ｈ    枠
２ｉ    止めネジ
２ｋ    ストッパ
２ｍ    貫通孔
３      カバー
３ａ    上カバー部
３ｂ    左上溝
３ｃ    右上溝
３ｄ    左カバー部
３ｅ    右カバー部
３ｆ    左下カバー部
３ｇ    左下溝
３ｈ    右下カバー部
３ｉ    右下溝
３ｋ    後係止部
４      挟持体
４ａ    左挟持片
４ｂ    右挟持片
５      摩擦体
６      左前留具
６ａ    左後留具
６ｂ    右前留具
６ｃ    右後留具
７      軸
８      Ｃリング
９      平座金
１０    バネ
２０    撚り機
２０ａ  回転装置
２０ｂ  撚り機
２０ｃ  回転装置
２１    軸
２２    クリップ
３０    撚線
３０ａ  線材
３０ｂ  先端 
【図１】
0003230313.tif 000003
【図２】
0003230313.tif 000004
【図３】
0003230313.tif 000005
【図４】
0003230313.tif 000006
【図５】
0003230313.tif 000007
【図６】
0003230313.tif 000008